(57)【要約】【課題】防水部材のハウジングからの剥がれを防止でき、防水性を保持することができるコネクタを提供する。【解決手段】電線３と、電線３の端末部が収容されるハウジング５と、ハウジング５の内部への浸水を防止する防水部材７とを備えたコネクタ１において、ハウジング５に、外周が電線３側に向けて延設された延設部９を設け、防水部材７を、延設部９と電線３の外周とにわたって配置した。【選択図】図１
2018037322.tif 000002
【特許請求の範囲】
【請求項１】
電線と、この電線の端末部が収容されるハウジングと、前記ハウジングの内部への浸水を防止する防水部材とを備えたコネクタであって、
前記ハウジングには、外周が前記電線側に向けて延設された延設部が設けられ、
前記防水部材は、前記延設部と前記電線の外周とにわたって配置されていることを特徴とするコネクタ。
【請求項２】
請求項１記載のコネクタであって、
前記延設部の内面には、対向する前記延設部を連結する連結部が設けられていることを特徴とするコネクタ。
【請求項３】
請求項１又は２に記載のコネクタであって、
前記延設部の外周には、前記防水部材と前記電線の前記ハウジングからの引出方向に係合する突起部が設けられていることを特徴とするコネクタ。
【発明の詳細な説明】
【技術分野】
【０００１】
本発明は、コネクタに関する。詳細には、ハウジングと電線との間に防水部材を配置させるコネクタに関する。
【背景技術】
【０００２】
従来、コネクタとしては、電線と、この電線の端末部が収容されるハウジングと、このハウジングの外周と電線の外周とにわたって接着して配置されハウジングの内部を防水する防水部材としての紫外線硬化粘着テープとを備えたものが知られている（例えば、特許文献１参照）。
【０００３】
このコネクタでは、紫外線硬化粘着テープを、ハウジングの外周からハウジングから引き出された電線の外周にわたって巻き付けることにより、電線側からハウジング内に水などが浸入することを防止している。
【０００４】
このようなコネクタでは、低コスト化や軽量化を目的として電線をアルミニウム系金属で構成した場合に、ハウジング内への水などの浸入によって、電線の端末部に接続された銅系金属からなる端子との間でガルバニック腐食が発生することを防止することができる。
【先行技術文献】
【特許文献】
【０００５】
【特許文献１】特開２０１３−１８７００４号公報
【発明の概要】
【発明が解決しようとする課題】
【０００６】
しかしながら、上記特許文献１のようなコネクタでは、ハウジングの外周における防水部材の接着代が足りず、電線の配索作業時などにおける電線の取り扱いや経時変化などによって、防水部材がハウジングから剥がれてしまい、ハウジング内に水などが浸入する恐れがあった。
【０００７】
そこで、この発明は、防水部材のハウジングからの剥がれを防止でき、防水性を保持することができるコネクタの提供を目的としている。
【課題を解決するための手段】
【０００８】
請求項１記載の発明は、電線と、この電線の端末部が収容されるハウジングと、前記ハウジングの内部への浸水を防止する防水部材とを備えたコネクタであって、前記ハウジングには、外周が前記電線側に向けて延設された延設部が設けられ、前記防水部材は、前記延設部と前記電線の外周とにわたって配置されていることを特徴とする。
【０００９】
このコネクタでは、ハウジングに、外周が電線側に向けて延設された延設部が設けられているので、延設部によってハウジングの外周における防水部材の接着代を増大させることができる。
【００１０】
このため、延設部によって、ハウジングの外周における防水部材の接着代を増大させることができるので、電線の配索作業時などにおける電線の取り扱いや経時変化などによって、防水部材がハウジングから剥がれることを防止できる。
【００１１】
従って、このようなコネクタでは、防水部材のハウジングからの剥がれを防止でき、防水性を保持することができる。
【００１２】
請求項２記載の発明は、請求項１記載のコネクタであって、前記延設部の内面には、対向する前記延設部を連結する連結部が設けられていることを特徴とする。
【００１３】
このコネクタでは、延設部の内面に、対向する延設部を連結する連結部が設けられているので、延設部の剛性を向上させることができる。
【００１４】
請求項３記載の発明は、請求項１又は２記載のコネクタであって、前記延設部の外周には、前記防水部材と前記電線の前記ハウジングからの引出方向に係合する突起部が設けられていることを特徴とする。
【００１５】
このコネクタでは、延設部の外周に、防水部材と電線のハウジングからの引出方向に係合する突起部が設けられているので、突起部が防水部材と電線の引出方向に係合することにより、防水部材がハウジングから離脱することを防止できる。
【００１６】
加えて、突起部は、延設部の外周に設けられているので、延設部の剛性を向上させることができる。
【発明の効果】
【００１７】
本発明によれば、防水部材のハウジングからの剥がれを防止でき、防水性を保持することができるコネクタを提供することができるという効果を奏する。
【図面の簡単な説明】
【００１８】
【図１】本発明の第１実施形態に係るコネクタの側面図である。
【図２】本発明の第１実施形態に係るコネクタのハウジングの斜視図である。
【図３】本発明の第２実施形態に係るコネクタのハウジングの斜視図である。
【図４】本発明の第３実施形態に係るコネクタのハウジングの斜視図である。
【図５】本発明の第４実施形態に係るコネクタにおいて、図２のハウジングに突起部を設けたときの斜視図である。
【図６】本発明の第４実施形態に係るコネクタにおいて、図３のハウジングに突起部を設けたときの斜視図である。
【図７】本発明の第５実施形態に係るコネクタのハウジングと延設部との斜視図である。
【発明を実施するための形態】
【００１９】
図１〜図６を用いて本発明の実施の形態に係るコネクタについて説明する。
【００２０】
（第１実施形態）
図１，図２を用いて第１実施形態に係るコネクタ１について説明する。コネクタ１は、電線３と、この電線３の端末部が収容されるハウジング５と、このハウジング５の外周と電線３の外周とにわたって接着して配置されハウジング５の内部を防水する防水部材７とを備えている。
【００２１】
電線３は、アルミニウム又はアルミニウム合金などのアルミニウム系金属の複数の素線が撚られた導体の外周を絶縁被覆で被覆された被覆電線からなる。電線３の少なくとも一方の端末には、銅又は銅合金などの銅系金属からなる端子（不図示）が圧着などにより接続される。
【００２２】
端子は、複数の電線３の端末部にそれぞれ接続されており、この複数の電線３の端末部にそれぞれ接続された複数の端子が、それぞれハウジング５に収容される。
【００２３】
ハウジング５は、合成樹脂などの絶縁性材料からなり、筐体状に形成され、内部に複数の端子を収容可能な複数の端子収容室１１が設けられており、複数の電線３の端末部に接続された複数の端子が、ハウジング５の一端側の開口からそれぞれ挿入されると共に、端子収容室１１内に設けられた端子抜け止め用の係止ランス（不図示）と端子が係合して内部に収容される。この複数の端子収容室１１内に複数の端子がそれぞれ収容された状態では、複数の電線３がハウジング５の一端側の開口からそれぞれ引き出された状態となる。また、ハウジング５は、他端側が端子と接続可能な相手端子（不図示）を収容する相手ハウジング（不図示）と可能となっており、相手ハウジングと嵌合することによって端子と相手端子とが電気的に接続される。なお、ハウジング５と相手ハウジングとの嵌合状態は、ハウジング５の上面に撓み可能に設けられたロック部１３が相手ハウジングに設けられた被ロック部（不図示）に係合することによって保持される。このハウジング５には、防水部材７が配置される外周が電線３側に向けて延設された延設部９が設けられている。
【００２４】
延設部９は、ハウジング５の外周側をハウジング５の一端側の端面から電線３側に向けて連続する一部材で延設されて所定の肉厚を有するように筒状に形成されている。これにより、ハウジング５の外周における防水部材７の接着代を増大させることができる。
【００２５】
防水部材７は、テープやＥＰＤＭシートなどの片面に粘着層が形成された防水性の帯状に形成され、ハウジング５の外周と電線３の外周とにわたって粘着層を内側として複数巻回されることによってハウジング５と電線３との間を覆うように配置される。これにより、電線３側からハウジング５内に水などが浸入することを防止でき、電線３の導体と端子との間でガルバニック腐食が発生することを防止できる。
【００２６】
このようなコネクタ１では、ハウジング５に、防水部材７が配置される外周が電線３側に向けて延設された延設部９が設けられているので、延設部９によってハウジング５の外周における防水部材７の接着代を増大させることができる。
【００２７】
このため、延設部９によって、ハウジング５の外周における防水部材７の接着代を増大させることができるので、電線３の配索作業時などにおける電線３の取り扱いや経時変化などによって、防水部材７がハウジング５から剥がれることを防止できる。
【００２８】
従って、このようなコネクタ１では、防水部材７のハウジング５からの剥がれを防止でき、防水性を保持することができる。
【００２９】
加えて、延設部９をハウジング５と連続する一部材で形成することにより、部品点数が増加することがない。
【００３０】
（第２実施形態）
図３を用いて第２実施形態に係るコネクタについて説明する。なお、第１実施形態と同一の構成には、同一の記号を記して構成及び機能説明は第１実施形態を参照するものとし省略するが、第１実施形態と同一の構成であるので、得られる効果は同一である。
【００３１】
延設部９の内周面には、ハウジング５の上下方向、或いは左右方向に対向する延設部９を連結する複数の連結部１５が設けられている。連結部１５は、ハウジング５の内部に設けられた複数の端子収容室１１を区画する区画壁となっており、延設部９の内周面に連続する一部材で形成されている。この連結部１５は、延設部９と同様に、ハウジング５の一端側の端面から電線３（図１参照）側に向けて連続する一部材で延設され、延設部９の端面と面一となるように端面が配置されている。
【００３２】
このようなコネクタでは、延設部９の内面に、対向する延設部９を連結する連結部１５が設けられているので、連結部１５によって延設部９の剛性が向上され、延設部９のハウジング５の内部側に向けた変形を防止でき、延設部９の変形による防水部材７（図１参照）の剥がれを防止することができる。
【００３３】
（第３実施形態）
図４を用いて第３実施形態に係るコネクタについて説明する。なお、他の実施形態と同一の構成には、同一の記号を記して構成及び機能説明は他の実施形態を参照するものとし省略するが、他の実施形態と同一の構成であるので、得られる効果は同一である。
【００３４】
ハウジング５の端面には、ハウジング５を成形するときに収縮やヒケなどが生じないように肉盗み部１７が設けられている。この肉盗み部１７にも樹脂を流し込むことにより、延設部９を成形している。
【００３５】
このようなコネクタでは、肉盗み部１７と一体に延設部９を設けているので、肉盗み部１７内に位置する延設部９によって延設部９の肉部を増大でき、延設部９の剛性を向上することができる。また、延設部９を肉盗み部１７を有する既存のハウジング５に後付で設けた場合でも、肉盗み部１７に樹脂を流し込むため、ハウジング５と延設部９の固着強度が向上する。
【００３６】
（第４実施形態）
図５，図６を用いて第４実施形態に係るコネクタについて説明する。なお、他の実施形態と同一の構成には、同一の記号を記して構成及び機能説明は他の実施形態を参照するものとし省略するが、他の実施形態と同一の構成であるので、得られる効果は同一である。
【００３７】
延設部９の外周には、電線３（図１参照）の引出側に、ハウジング５の外方に向けて複数（ここでは３つ）の突起部１９が突設されている。複数の突起部１９は、延設部９と連続する一部材で形成してもよいが、延設部９（ハウジング５）より剛性の高い異なる材料を延設部９に一体的に固着させてもよい。この複数の突起部１９は、延設部９の外周に接着される防水部材７（図１参照）と電線３の引出方向に係合される。
【００３８】
このようなコネクタでは、延設部９の外周に、防水部材７と電線３のハウジング５からの引出方向に係合する突起部１９が設けられているので、突起部１９が防水部材７と電線３の引出方向に係合することにより、防水部材７がハウジング５から離脱することを防止できる。
【００３９】
また、複数の突起部１９は、延設部９の肉部を増大させており、延設部９の剛性が向上され、延設部９のハウジング５の内部側に向けた変形を防止でき、延設部９の変形による防水部材７の剥がれを防止することができる。
【００４０】
なお、突起部１９は、ハウジング５の長さ方向に延びる突条のように、ハウジング５の外周に設けてもよい。この場合には、突起部１９のロック部１３側の端面を、防水部材７と電線３のハウジング５からの引出方向に係合可能なように配置させる。このように突起部１９を突条で形成することにより、延設部９の表面積を増大させることができ、防水部材７の接着面積を増大させて防水部材７のハウジング５に対する保持を安定化することができる。
【００４１】
（第５実施形態）
図７を用いて第３実施形態に係るコネクタについて説明する。なお、他の実施形態と同一の構成には、同一の記号を記して構成及び機能説明は他の実施形態を参照するものとし省略するが、他の実施形態と同一の構成であるので、得られる効果は同一である。
【００４２】
ハウジング５と延設部９とを別体で形成し、ハウジング５の外周に複数（ここでは３つ）の突起部１９を設け、延設部９の内周に突起部１９と係合可能な複数（ここでは３つ）のロック溝２１が設けられている。ハウジング５の複数の突起部１９に延設部９の複数のロック溝２１を係合することにより、ハウジング５の電線３（図１参照）の引出側に延設部９が一体に固定された状態となる。
【００４３】
このようなコネクタでは、突起部１９と係合可能なロック溝２１を延設部９に設けることにより、複数の突起部１９によって剛性が向上されたハウジング５に対して延設部９を一体に取り付けることが可能となる。
【００４４】
なお、上記実施形態により本発明が限定されるものではない。本発明の主旨を変えない範囲で種々変更実施が可能である。
【符号の説明】
【００４５】
１…コネクタ
３…電線
５…ハウジング
７…防水部材
９…延設部
１５…連結部
１９…突起部
【図１】
2018037322.tif 000003
【図２】
2018037322.tif 000004
【図３】
2018037322.tif 000005
【図４】
2018037322.tif 000006
【図５】
2018037322.tif 000007
【図６】
2018037322.tif 000008
【図７】
2018037322.tif 000009